【手続補正書】
【提出日】平成21年9月15日(2009.9.15)
【手続補正１】
【補正対象書類名】特許請求の範囲
【補正対象項目名】全文
【補正方法】変更
【補正の内容】
【特許請求の範囲】
【請求項１】
表示画面上で画面要素の位置決めをするためのコンピュータ実行可能命令を記録したコンピュータ読取可能記録媒体であって、前記コンピュータ実行可能命令は、１つまたは複数のプロセッサに、
表示画面に画面要素を表示するよう求める要求を受信することと、
前記要求を受信したことに応答して、第１の解像度の前記画面要素の第１のピクセル表示を提供するピクセルを示す、第１の位置決め特性のセットを決定することと、
少なくとも部分的に、前記第１の解像度とは異なる第２の解像度の前記画面要素の第３のピクセル表示を前記第１の解像度に合うようにスケーリングすることによって、前記第１の解像度の前記画面要素の第２のピクセル表示を提供するピクセルを示す第２の位置決め特性のセットを決定することと、
前記位置決め特性の第１のセットを前記位置決め特性の第２のセットと対比して分析し、変位の程度を決定することであって、前記変位の程度は、第１の点と第２の点との間に存在するピクセルの概数であり、前記第１の点は、前記画面要素が前記第１の位置決め特性のセットに基づいて前記表示画面に表示されるときに該画面要素内の所与の点である、前記表示画面上の点であり、前記第２の点は、前記画面要素が前記第２の位置決め特性のセットに基づいて前記表示画面に表示されるときに該画面要素内の前記所与の点である、前記表示画面上の点である、決定することと、
前記変位の程度が、ピクセル数を表す所定の閾値を超えているかどうかを判断することと、
前記変位の程度が前記所定の閾値を超えていると判断されたとき、自動的に前記位置決め特性の第１のセットを修正することと
を実行させることを特徴とするコンピュータ読取可能記録媒体。
【請求項２】
前記変位の程度が前記所定の閾値を超えていないと判断されたとき、前記コンピュータ実行可能命令は、前記１つまたは複数のプロセッサに、
前記第１の位置決め特性のセットを前記第２の位置決め特性のセットと対比して分析した後に、前記第１の位置決め特性のセットに基づいて前記画面要素を前記表示画面に表示すること
をさらに実行させることを特徴とする請求項１に記載のコンピュータ読取可能記録媒体。
【請求項３】
前記コンピュータ実行可能命令は、前記１つまたは複数のプロセッサに、
前記変位の程度が前記所定の閾値を超えていると判断されたとき、前記第１の位置決め特性のセットを修正した後に、修正された前記第１の位置決め特性のセットに基づいて前記画面要素を前記表示画面に表示すること
をさらに実行させることを特徴とする請求項２に記載のコンピュータ読取可能記録媒体。
【請求項４】
前記第１の解像度は、前記表示画面の実際の解像度であり、前記第２の解像度は、最適解像度に関連付けられていることを特徴とする請求項１に記載のコンピュータ読取可能記録媒体。
【請求項５】
前記第２の位置決め特性のセットを決定することは、
前記最適解像度に対する前記実際の解像度の比率を決定することと、
前記比率を、前記画面要素の前記第３のピクセル表示を提供するピクセルを示す第３の位置決め特性のセットに適用することによって、前記第２の位置決め特性のセットを決定することと
を含むことを特徴とする請求項４に記載のコンピュータ読取可能記録媒体。
【請求項６】
前記第１の位置決め特性のセットを修正することは、前記変位の程度によって表される前記ピクセル数が前記所定の閾値によって表されるピクセル数と等しくなるように、前記第１の位置決め特性のセットを修正することを特徴とする請求項１に記載のコンピュータ読取可能記録媒体。
【請求項７】
前記画面要素は数式表現を表すことを特徴とする請求項１に記載のコンピュータ読取可能記録媒体。
【請求項８】
表示画面の第１の画面要素を第２の画面要素との関係で位置決めするためのコンピュータ実行可能命令を記録したコンピュータ読取可能記録媒体であって、前記コンピュータ実行可能命令は、１つまたは複数のプロセッサに、
第１の画面要素を第２の画面要素に隣接して表示するよう求める要求を受信することと、
前記要求を受信したことに応答して、前記第２の画面要素に対する前記表示画面の実際の解像度の前記第１の画面要素の第１のピクセル表示を提供するピクセルの位置を示す、第１の位置決め特性のセットを決定することと、
前記第１の位置決め特性のセットが、前記第１の画面要素が前記第２の画面要素から少なくとも所定量の空白だけ離れていることを示しているかどうかを判断することと、
前記第１の位置決め特性のセットが、前記第１の画面要素が前記第２の画面要素から前記少なくとも所定量の空白だけ離れていることを示していると判断されたとき、
少なくとも部分的に、最適解像度の前記第１の画面要素の第３のピクセル表示を、前記表示画面の前記実際の解像度に合うようにスケーリングすることによって、前記第２の画面要素に対する前記第１の画面要素の第２のピクセル表示を提供するピクセルの位置を示す、第２の位置決め特性のセットを決定することと、
前記第１の位置決め特性のセットから決定される垂直位置と、前記第２の位置決め特性のセットから決定される水平位置とに基づいて前記第１の画面要素を前記表示画面に表示することと
を実行させることを特徴とするコンピュータ読取可能記録媒体。
【請求項９】
前記第１の位置決め特性のセットが、前記第１の画面要素が前記第２の画面要素から少なくとも前記所定量の空白だけ離れていること示していないと判断されたとき、前記コンピュータ実行可能命令は、前記１つまたは複数のプロセッサに、
前記第１の位置決め特性のセットを修正するべきかどうか判断するために前記第１の位置決め特性のセットを前記第２の位置決め特性のセットに対して評価すること
をさらに実行させることを特徴とする請求項８に記載のコンピュータ読取可能記録媒体。
【請求項１０】
前記第１の位置決め特性のセットを前記第２の位置決め特性のセットに対して評価することは、
前記第１の位置決め特性のセットを前記第２の位置決め特性のセットに対して分析して、変位の程度を決定することであって、前記変位の程度は、第１の点と第２の点との間に存在するピクセルの概数であり、前記第１の点は、前記第１の画面要素が前記第１の位置決め特性のセットに基づいて前記表示画面に表示されるときに該第１の画面要素内の所与の点である前記表示画面上の点であり、前記第２の点は、前記第１の画面要素が前記第２の位置決め特性のセットに基づいて前記表示画面に表示されるときに該第１の画面要素内の前記所与の点である前記表示画面上の点であることを特徴とする、決定することと、
前記変位の程度が、ピクセル数を表す所定の閾値を超えているかどうか判断することと、
前記変位の程度が前記所定の閾値を超えていると判断されたとき、前記第１の位置決め特性のセットを修正することと
を含むことを特徴とする請求項９に記載のコンピュータ読取可能記録媒体。
【請求項１１】
前記変位の程度が前記所定の閾値を超えていないと判断されたとき、前記コンピュータ実行可能命令は、前記１つまたは複数のプロセッサに、
前記第１の位置決め特性のセットに基づいて前記第１の画面要素を前記表示画面に表示すること
をさらに実行させることを特徴とする請求項１０に記載のコンピュータ読取可能記録媒体。
【請求項１２】
前記変位の程度が前記所定の閾値を超えていると判断されたとき、前記コンピュータ実行可能命令は、前記１つまたは複数のプロセッサに、
修正された前記第１の位置決め特性のセットに基づいて前記第１の画面要素を前記表示画面に表示すること
をさらに実行させることを特徴とする請求項１１に記載のコンピュータ読取可能記録媒体。
【請求項１３】
前記第２の位置決め特性のセットを決定することは、
前記最適解像度に対する前記実際の解像度の比率を決定することと、
前記比率を、前記第１の画面要素の前記第３のピクセル表示を提供するピクセルを示す第３の位置決め特性のセットに適用することによって、前記第２の位置決め特性のセットを決定することと
を含むことを特徴とする請求項１０に記載のコンピュータ読取可能記録媒体。
【請求項１４】
前記第１の位置決め特性のセットを修正することは、前記変位の程度によって表される前記ピクセル数が前記所定の閾値によって表されるピクセル数と等しくなるように、前記第１の位置決め特性のセットを修正することを特徴とする請求項１０に記載のコンピュータ読取可能記録媒体。
【請求項１５】
表示画面に表示される第１の画面要素を第２の画面要素との関係で位置決めするためのコンピュータ実行可能命令を記録したコンピュータ読取可能記録媒体であって、前記コンピュータ実行可能命令は、１つまたは複数のプロセッサに、
第１の解像度の前記第１の画面要素の第１のピクセル表示を提供するピクセルの位置を示す、第１の位置決め特性のセットを決定することと、
少なくとも部分的に、前記第１の解像度とは異なる第２の解像度の前記第１の画面要素の第３のピクセル表示を前記第１の解像度に合うようにスケーリングすることによって、前記第２の画面要素の位置に対する前記第１の画面要素の第２のピクセル表示を提供するピクセルの位置を示す、第２の位置決め特性のセットを決定することと、
前記第１の位置決め特性のセットを前記第２の位置決め特性のセットと対比して分析し、前記第１の画面要素について特定される変位の程度を決定することであって、前記変位の程度は、第１の点と第２の点との間に存在するピクセルの概数であり、前記第１の点は、前記第１の画面要素が前記第１の位置決め特性のセットに基づいて前記表示画面に表示されるときに該第１の画面要素内の所与の点である前記表示画面上の点であり、前記第２の点は、前記第１の画面要素が前記第２の位置決め特性のセットに基づいて前記表示画面に表示されるときに該第１の画面要素内の前記所与の点である前記表示画面上の点である、決定することと、
前記変位の程度が、ピクセル数を表す所定の閾値を超えているかどうか判断することと、
前記変位の程度が前記所定の閾値を超えていると判断されたとき、前記第１の位置決め特性のセットで特定された座標を、前記第２の位置決め特性のセットで特定された座標の方にシフトすることによって決定される、修正された位置決め特性に基づいて、前記第１の画面要素を前記表示画面に表示することと
を実行させることを特徴とするコンピュータ読取可能記録媒体。
【請求項１６】
前記変位の程度が前記所定の閾値を超えていないと判断されたとき、前記コンピュータ実行可能命令は、前記１つまたは複数のプロセッサに、
前記第１の位置決め特性のセットに基づいて前記第１の画面要素を前記表示画面に表示すること
をさらに実行させることを特徴とする請求項１５に記載のコンピュータ読取可能記録媒体。
【請求項１７】
前記第２の画面要素は、複数のグリフを含むことを特徴とする請求項１６に記載のコンピュータ読取可能記録媒体。
【請求項１８】
前記第２の画面要素は、数式の基本の指数表現を表し、前記第１の画面要素は、前記第２の画面要素の上付き文字を表すことを特徴とする請求項１７に記載のコンピュータ読取可能記録媒体。